(57)【要約】      （修正有）【課題】電気式機械腕時計の針及び／又は少なくとも１つの日付ディスクを駆動するための機構を提供する。【解決手段】機構１は、電気機械式腕時計の針８、９を駆動する。機構１は、電気モータ２、電気モータ２に接続され、電気モータ２の各作動時に針８，９を前後に動かす１組のギヤホイール３、４、５、６、７、及びロックデバイス２０を含む。ロックデバイス２０は、静止モードにおいて、直接又はボルト２２を介して１組のギヤホイール３、４、５、６、７のうちの１つのホイールをロックするための、圧電アクチュエータ２１を含む。圧電アクチュエータ２１は、圧電アクチュエータ２１が電気モータ２の各作動の瞬間に電気信号によって作動している場合、１組のギヤホイール３、４、５、６、７を開放し、針を前後に動かす。【選択図】図１
2014106231.tif 000002
【特許請求の範囲】
【請求項１】
電気機械式腕時計の１つ若しくは複数の針（８、９）及び／又は少なくとも１つの日付ディスクを駆動するための機構（１）であって、
前記機構は、電気モータ（２）、前記電気モータに接続され、前記電気モータの各作動時に前記１つ若しくは複数の針（８、９）及び／又は前記日付ディスクを前後に動かす１組のギヤホイール（３、４、５、６、７）、並びに前記１組のギヤホイールの少なくとも１つのホイールをロックするためのデバイス（２０）を含む、機構（１）において、
前記ロックデバイス（２０）は、前記１組のギヤホイールを前記電気モータに接続して、前記電気モータの前記各作動時に、前記針（８、９）及び／又は前記日付ディスクを前後に動かすことを可能とする一方で、ボルト（２２）を介して、前記電気モータの前記各作動の間に前記１組のギヤホイール（３、４、５、６、７）の前記少なくとも１つのホイールをロックするための、圧電アクチュエータ（２１）又は電気活性ポリマー素子又は形状記憶合金素子を含むこと、並びに
前記ボルトは前記電気機械式腕時計の地板又はフレームに固定されるヒゲ持ち（２４）の貫通開口（２５）にガイドされること
を特徴とする、機構（１）。
【請求項２】
電気機械式腕時計の１つ若しくは複数の針（８、９）及び／又は少なくとも１つの日付ディスクを駆動するための機構（１）であって、
前記機構は、電気モータ（２）、前記電気モータに接続され、前記電気モータの各作動時に前記１つ若しくは複数の針（８、９）及び／又は前記日付ディスクを前後に動かす１組のギヤホイール（３、４、５、６、７）、及び前記１組のギヤホイールの少なくとも１つのホイールをロックするためのデバイス（２０）を含む、機構（１）において、
前記ロックデバイス（２０）は、前記１組のギヤホイールを前記電気モータに接続して、前記電気モータの前記各作動時に、前記１つ若しくは複数の針（８、９）及び／又は前記日付ディスクを前後に動かすことを可能とする一方で、前記ホイールの表面又は前記ホイールのアーバを一部分で圧迫することにより、前記各作動の間に前記１組のギヤホイール（３、４、５、６、７）の前記少なくとも１つのホイールを直接ロックするための、圧電アクチュエータ（２１）又は電気活性ポリマー素子又は形状記憶合金素子を含むことを特徴とする、機構（１）。
【請求項３】
前記圧電アクチュエータ（２１）又は前記電気活性ポリマー素子又は前記形状記憶合金素子は、前記アクチュエータが静止位置で電気的に作動していない場合、前記１組のギヤホイール（３、４、５、６、７）のうちの前記１つのホイールを、直接又は前記ボルト（２２）を介してロックするよう構成されていること、並びに
前記アクチュエータは、前記アクチュエータが前記電気モータ（２）の前記各作動の瞬間に電気的に作動している場合、前記１組のギヤホイール（３、４、５、６、７）の前記ホイールを開放し、前記１つ若しくは複数の針（８、９）及び／又は前記日付ディスクを前後に動かすこと
を特徴とする、請求項１及び２に記載の駆動機構（１）。
【請求項４】
前記圧電アクチュエータ（２１）又は前記電気活性ポリマー素子又は前記形状記憶合金素子は、矩形のストリップであり、一方の端部において前記電気機械式腕時計の前記地板又は前記フレームの支持体（２３）に固定されていること、及び
前記圧電アクチュエータ（２１）又は前記電気活性ポリマー素子又は前記形状記憶合金素子の少なくとも１つの中間部分は、前記ボルト（２２）を介して、前記１組のギヤホイール（３、４、５、６、７）のホイールのうちの１つをロックするように配設されること
を特徴とする、請求項１に記載の駆動機構（１）。
【請求項５】
前記圧電アクチュエータ（２１）又は前記電気活性ポリマー素子又は前記形状記憶合金素子は、矩形のストリップであり、その第１の端部は、前記電気機械式腕時計の前記地板又は前記フレームの前記第１の支持体（２３）に固定され、第２の端部は、前記地板又は前記フレームの第２の支持体（２３’）に固定して又は可動に保持されることを特徴とする、請求項１に記載の駆動機構（１）。
【請求項６】
前記ボルト（２２）は円筒形のロッドの形態であり、前記ボルト（２２）の第１の端部は前記１組のギヤホイール（３、４、５、６、７）の歯付きホイールの２つの歯の間にロック位置で格納され、その一方で前記ボルト（２２）の第２の端部は前記圧電アクチュエータ（２１）又は前記電気活性ポリマー素子又は前記形状記憶合金素子によって圧迫されることを特徴とする、請求項１に記載の駆動機構（１）。
【請求項７】
前記ボルト（２２）は円筒形のロッドの形態であり、前記ボルト（２２）の第１の端部は、前記１組のギヤホイール（３、４、５、６、７）の歯付きホイールに作製された複数の穴のうちの１つの穴（１４）にロック位置で格納されるよう配設され、その一方で前記ボルト（２２）の第２の端部は前記圧電アクチュエータ（２１）又は前記電気活性ポリマー素子又は前記形状記憶合金素子によって圧迫されることを特徴とする、請求項１に記載の駆動機構（１）。
【請求項８】
前記穴（１４）の数は、前記１組のギヤホイール（３、４、５、６、７）の前記歯付きホイールの歯の数に等しいこと、及び
前記穴（１４）は、前記ホイールと同心の円上に均等な間隔で配置されること
を特徴とする、請求項７に記載の駆動機構（１）。
【請求項９】
矩形のストリップの形態の前記圧電アクチュエータ（２１）は、歯付きホイール（４）のアーバ（４ａ）が横断する前記中間部分の貫通開口（２６）を含み、前記中間部分は、前記歯付きホイールの下側表面をロック位置で圧迫するように構成されることを特徴とする、請求項２に記載の駆動機構（１）。
【請求項１０】
矩形のストリップの形態の前記圧電アクチュエータ（２１）又は前記電気活性ポリマー素子又は前記形状記憶合金素子は、その一部が歯付きホイール（７）のアーバ（７ａ）を圧迫することにより、前記１組のギヤホイール（３、４、５、６、７）のうちの１つのホイールを直接ロックすることを特徴とする、請求項２に記載の駆動機構（１）。
【請求項１１】
前記圧電アクチュエータ（２１）又は前記電気活性ポリマー素子又は前記形状記憶合金素子は、前記１組のギヤホイール（３、４、５、６、７）の前記歯付きホイール（７）のアーバ又は軸管（７ａ）に配設されるために、チューブの形状を取ること、
前記圧電アクチュエータ（２１）又は前記電気活性ポリマー素子又は前記形状記憶合金素子は、ロック位置でクランプ留めされた前記歯付きホイールの前記アーバを保持するために、楕円形のチューブの形状を取ること、及び
前記圧電アクチュエータ（２１）又は前記電気活性ポリマー素子又は前記形状記憶合金素子は、前記歯付きホイールを開放し、前記針（８、９）を前後に動かすことができるように、円形のチューブの形状を取ること
を特徴とする、請求項２に記載の駆動機構（１）。
【請求項１２】
前記圧電アクチュエータ（２１）又は前記電気活性ポリマー素子又は前記形状記憶合金素子は、静止モードで電気的に作動していない場合は楕円形のチューブの形状を取り、前記圧電アクチュエータ（２１）又は前記電気活性ポリマー素子又は前記形状記憶合金素子が電気信号によって作動している場合は円形のチューブの形状を取ることを特徴とする、請求項１１に記載の駆動機構（１）。
【発明の詳細な説明】
【技術分野】
【０００１】
本発明は、電気機械式腕時計の１つ若しくは複数の針及び／又は少なくとも１つの日付ディスクを駆動するための機構に関し、この機構はロック又は連結デバイスを備える。電気機械式腕時計は針による時刻表示を有し、これら針は、駆動機構の１組のギヤホイールの１つ又は２つ又は３つのホイールによって駆動される。電気モータは、この１組のギヤホイールを駆動し、針及び／又は少なくとも１つの日付ディスクを前後に動かす。ロック又は連結デバイスは、腕時計が衝撃を受けた際に１組のギヤホイールの一部を瞬間的にロックすることによって、時刻を表示又は設定するために針を自由に前進させることができる状態のまま、特に針のタイムラグを防止するために設けられる。
【背景技術】
【０００２】
電気機械式腕時計では、針は一般に、Ｌａｖｅｔ型ステッピングモータで作動させてよい１組の歯車又は歯車列によって駆動される。このような場合、ステッピングモータを作動させことにより、針は歯車列の１つ又は２つのホイールによって段階的に駆動される。ステッピングモータ手段の相当な位置決めトルクは、不均衡度が高い複数の時刻指示用針を使用できることを意味する。これらの針をより大きく又は重くしてもよい。腕時計が衝撃を受けた場合、電気モータの位置決めトルクによって針を所定の位置に保持できるが、上記時刻指示用針にタイムラグが発生する可能性があり、これが先行技術の電気機械式腕時計の欠点である。
【０００３】
位置決めトルクが高くなりすぎると電気モータは回転できなくなることにも留意すべきであり、これもまた欠点である。従って、電気モータをできる限り最適化する必要があるが、これは必然的に、不均衡度が高い針を駆動するために必要な電力消費の増大にもつながる。腕時計を電池又はバッテリで駆動する場合、これは望ましくない。
【０００４】
時計モジュールの歯付きホイールのためのロックデバイスを開示する特許文献１を挙げることができる。歯付きホイールはＬａｖｅｔ型ステッピングモータで作動させるクリックによって駆動される。モータの各作動の間にホイールをロックするために、歯付きホイールの２つの歯の間に少なくとも１つのガイドフィンガを格納する。静電アクチュエータによってフィンガをロック位置へと駆動する。しかしながら、電気モータの各作動の間に歯付きホイールをロックする配置は比較的複雑であり、これは欠点である。
【先行技術文献】
【特許文献】
【０００５】
【特許文献１】スイス特許第６９９７７１Ａ２号
【発明の概要】
【発明が解決しようとする課題】
【０００６】
従って本発明の主たる目的は、電気機械式腕時計の針及び／又は少なくとも１つの日付ディスクを駆動するための機構を提案することによって、上述の欠点を克服することであり、この機構は、モータが駆動する針の不均衡度及び慣性を少ない電力消費で増大させるためのロックデバイスを備える。
【課題を解決するための手段】
【０００７】
従って本発明は、電気機械式腕時計の１つ若しくは複数の針及び／又は少なくとも１つの日付ディスクを駆動するための機構に関し、この機構はロックデバイスを備え、このロックデバイスは独立請求項１又は請求項２の特徴を有する。
【０００８】
駆動機構の個々の実施形態は、従属請求項３〜１２に開示される。
【０００９】
本発明による駆動機構の１つの利点は、電気モータが、単に回転子静止位置を画定するだけの場合には比較的低い位置決めトルクを有し、腕時計が衝撃を受けた場合に不均衡度が高い１つ又は複数の針を保持するためにはより高い位置決めトルクを有することができるという事実にある。圧電素子又はアクチュエータは、１組のギヤホイールの１つのホイールを直接又はボルトと協働してロックする。１つ又は複数の時刻表示用針を前後に動かすために、ステッピングモータであってよい電気モータで１組のギヤホイールを駆動する。圧電アクチュエータが保持するボルトにより、電気モータの各駆動動作の間、１組のギヤホイールの１つのホイールを腕時計のフレーム又は地板と一体とすることができる。電気信号で圧電アクチュエータを作動させることにより、ボルトを移動させて上記ホイールを開放し、電気モータを用いて１つ又は複数の針を前後に動かすことができる。圧電アクチュエータの代わりに、電気活性ポリマー素子、又は電流によって加熱して変形させることができる形状記憶合金素子を用いることもできる。
【００１０】
電気モータの各動作の間に１組のギヤホイールの少なくとも１つのホイールをロックするために圧電アクチュエータを用いることの別の利点は、従来の機構の電力消費よりも低い電力消費を達成できる点である。圧電アクチュエータが生成するロックによる、特に機械的衝撃を受けた場合に高い不均衡度を有する針を保持することに関する性能の改善にも注目できる。圧電アクチュエータは、１組のギヤホイールの少なくとも１つのホイールに対して相当なロック力を生成できる。
【００１１】
ロックデバイスを備える、電気機械式腕時計の針及び／又は少なくとも１つの日付ディスクを駆動するための機構の目的、利点及び特徴は、図面を参照した以下の非限定的な説明からより明らかとなるであろう。
【図面の簡単な説明】
【００１２】
【図１】図１は、本発明の第１の実施形態によるロックデバイスを備える、電気機械式腕時計の針駆動機構の３次元簡略図である。
【図２ａ】図２ａは、本発明の第１の実施形態の、ホイールをロックするための位置にあるロックデバイスを有する機構の少なくとも１つのホイールの上面図である。
【図２ｂ】図２ｂは、本発明の第１の実施形態の、ホイールを解放するための位置にあるロックデバイスを有する機構の少なくとも１つのホイールの上面図である。
【図３ａ】図３ａは、本発明の第２の実施形態の、ホイールをロック及び解放するためのロックデバイスを有する機構の少なくとも１つのホイールの上面図である。
【図３ｂ】図３ｂは、本発明の第２の実施形態の、ホイールをロック及び解放するためのロックデバイスを有する機構の少なくとも１つのホイールの側面図である。
【図４ａ】図４ａは、本発明の第３の実施形態の、ホイールをロックするための位置にあるロックデバイスを有する機構の少なくとも１つのホイールの側面図である。
【図４ｂ】図４ｂは、本発明の第３の実施形態の、ホイールを解放するための位置にあるロックデバイスを有する機構の少なくとも１つのホイールの側面図である。
【図５ａ】図５ａは、本発明の第４の実施形態の、ホイールをロックするための位置にあるロックデバイスを有する機構の少なくとも１つのホイールの上面図である。
【図５ｂ】図５ｂは、本発明の第４の実施形態の、ホイールを解放するための位置にあるロックデバイスを有する機構の少なくとも１つのホイールの上面図である。
【図６ａ】図６ａは、本発明の第５の実施形態の、ホイールをロックするための位置にあるロックデバイスを有する機構の少なくとも１つのホイールの上面図である。
【図６ｂ】図６ｂは、本発明の第５の実施形態の、ホイールを解放するための位置にあるロックデバイスを有する機構の少なくとも１つのホイールの上面図である。
【発明を実施するための形態】
【００１３】
以下の説明において、針及び／又は少なくとも１つの日付ディスクを駆動するための機構の、本技術分野の当業者には公知である全ての構成部品については、簡略化した様式でしか説明しない。針駆動機構は本質的には、電気モータを備える時計ムーブメントを含み、この電気モータはタイムベース回路でクロック制御されるプロセッサで制御される。この機構は、針の前方又は後方への２つの作動の間、機構の少なくとも１つのホイールをロックできるロック又は連結デバイスを備え、上記作動は電気モータによって生成される。
【００１４】
図１は、電気機械式腕時計の１つ若しくは複数の針８、９及び／又は少なくとも１つの日付ディスク（図示せず）を駆動するための機構１を形成する、様々な要素の概略図である。説明の簡略化及び明晰性のために、以下に説明する各種要素は必ずしも実際の寸法で図示したものではない。
【００１５】
機構１はまず、電気モータ２及び１組のギヤホイール３、４、５、６、７を含み、この１組のギヤホイール３、４、５、６、７は電気モータ２と針８、９のうちの少なくとも１つとの間に配設され、特に１つ又は複数の時刻表示用針８、９を前後に動かすためのものである。本発明によると、機構１は以下に示す様々な実施形態を参照して説明するようなロック又は連結デバイス２０も含み、その機能は、特に時刻表示用針を前後に動かすための電気モータ２の各動作の間に、１組のギヤホイールの少なくとも１つのホイールをロックすることである。
【００１６】
従来の方法で電気モータ２を腕時計の地板（図示せず）に固定し、１組のギヤホイールのホイール３、４、５、６のアーバの一方の端部を腕時計の地板上に自由に回転できるように設置する。ホイール３、４、５、６の他方の端部は、少なくとも地板に固定された受け上に、又は腕時計の文字盤の開口部を通して、自由に回転できるように保持される。この電気モータ２は好ましくはＬａｖｅｔ型ステッピングモータである。電気モータ２は本質的には、固定子を画定する磁気回路上に設置されたコイル、及び１組のギヤホイールの第１のホイール３のアーバに同軸に配設された回転子（図示せず）からなる。
【００１７】
図１には図示していないが、モータのコイルはモータの電気駆動回路に接続され、この電気駆動回路は、従来の水晶振動子及び発振子ステージによってクロック制御されるプロセッサ回路の一部を形成してよい。モータの回転子は、電気駆動回路が送達する電気駆動パルスに応じて時計回り又は反時計回りに回転駆動される。各電気作動の間において、電気モータは静止モードにあり、腕時計の時刻表示用針８、９をいかなるタイムラグもなく保持するために、所定の位置決めトルクを保証しなければならない。針８、９が高い不均衡度を有するものと想定する場合、電気ステッピングモータ２の各前後作動の間に、例えば歯付きホイール７である少なくとも１つの歯付きホイールをロックするための、ロックデバイス２０を設ける。腕時計が衝撃を受けた場合に、このロックデバイス２０によって時刻表示用針８、９をいかなるタイムラグもなく保持できる。
【００１８】
図示したように、１組のギヤホイールは、電気モータ２の各作動時に第２の歯付きホイール４を作動させるための、電気モータ２の回転子にアーバが接続された第１の歯付きホイール３を含んでよい。第２の歯付きホイール４は第３の歯付きホイール６と噛み合い、この第３の歯付きホイール６はそのアーバ上に分針８を備える。第４の歯付きホイール５は、第３の歯付きホイール６のアーバ上の補助ギヤ（図示せず）と噛み合う。この第４の歯付きホイール５は、減速ギヤとして使用される第２のギヤ５’をアーバ上に含み、これによって、第３の歯付きホイール６のアーバ上に同軸に配設された第５の歯付きホイール７を駆動する。第５の歯付きホイール７の軸管は磁針９を支持する。
【００１９】
ロック又は連結デバイス２０は特に、圧電素子又はアクチュエータ２１を含み、これはその一方の端部において電気機械式腕時計のフレームの第１の支持体２３に固定され、この第１の支持体２３は、時計ムーブメントを支持する腕時計の地板に直接固定してよい。圧電アクチュエータ２１の他方の端部もまた、フレームの第２の支持体２３’に固定して又は可動に保持してもよい。圧電アクチュエータ２１は湾曲させて配置されるほぼ矩形のストリップであってよく、湾曲させて配置されることによって、静止位置において圧電アクチュエータ２１を歯付きホイール７に対して直接押圧して、上記ホイールを電気モータ２の２つの作動の間にロックして保持できる。好ましくは、腕時計の地板に固定されたガイド用ヒゲ持ち２４の開口内でガイドされるボルト２２を、静止位置において、圧電アクチュエータ２１によって歯付きホイール７の２つの歯の間に押圧することによって、電気モータの２つの作動を駆動する間に上記ホイールをロックされた状態に維持する。
【００２０】
ロックデバイス２０は、圧電アクチュエータ２１及び例えばボルト２２を介して、フレーム又は地板に固定された１組のギヤホイールの歯付きホイールのうちの１つを保持する。歯付きホイールのうちの１つである歯付きホイール７のロックは、電気モータ２の２つの作動の間、即ち１つ又は複数の時刻表示用針８、９を前後に動かすための２つの駆動ステップの間に実施される。しかしながら、１つ又は複数の針８、９を前後に動かすためのモータの各作動において、連結又はロックデバイス２０は解放される。これは、圧電アクチュエータ２１がそれ独自の超音波モードで又は供給電圧によって励起され、ホイールをロックする方向と反対方向に動くことを意味する。供給電圧はプロセッサ回路（図示せず）から発生するものであってよい。これによって、ボルト２２をロック位置と反対方向に移動させて特に歯付きホイール７を解放することもでき、針８、９を前後に動かすことができる。
【００２１】
Ｌａｖｅｔ型電気モータは常に極めて低い位置決めトルクを有するため、このトルクは回転子の静止位置を画定するものの、腕時計が衝撃を受けた際に１つ又は複数の針を保持することは通常できない。よって、圧電アクチュエータ２１と、静止モードにおいて上記アクチュエータによって１組のギヤホイールのホイールのうちの１つに対して径方向に押圧されるボルト２２とがあることによって、腕時計がどのような衝撃にさらされるかに関わらず、電気モータの各作動の間、針の時刻表示は保持される。衝撃を受けた際、回転トルクはボルト２２に直接伝達され、圧電アクチュエータ２１には直接伝達されない。このような衝撃は５００Ｇ又は５０００Ｇに等しい値を有する場合があり、これは、電気モータ２及びその位置決めトルクだけでは針を適切な時刻表示位置に保持することができないことを意味する。
【００２２】
圧電アクチュエータを作動させるために必要な時間は静止時間に比べて極めて短く、これによって電力消費が削減される。モータのコイルに送達される電気信号の一部を、圧電アクチュエータ２１を作動させるために使用してよく、これによって電気モータ２の２つの連続する作動の間ロックされる歯付きホイール７を解放する。
【００２３】
圧電アクチュエータは酸化チタン製であってよく、又はジルコン酸チタン酸鉛（ＰＺＴ）製であってもよい。圧電アクチュエータは、例えば０．１〜１ｍｍの厚さを形成するように連続して重ねて蒸着したこのタイプの圧電材料の複数の層からなってもよい。
【００２４】
圧電アクチュエータ２１の代わりに、電気活性ポリマー素子又は形状記憶合金素子の使用も想定できることに留意されたい。この形状記憶合金は電流によって加熱して変形させることができ、これによって圧電アクチュエータがホイールから離れるように移動し、ホイールを解放する。
【００２５】
ロック又は連結デバイスの第１の実施形態を図２ａ、２ｂに示す。この第１の実施形態は、図１を参照して上述したものである。従ってロックデバイス２０は圧電素子又はアクチュエータ２１を含み、この圧電アクチュエータ２１はその第１の端部において電気機械式腕時計のフレームの第１の支持体２３に固定されている。圧電アクチュエータ２１の第２の端部もまた、フレームの第２の支持体２３’に固定又は可動に保持してもよい。第１の支持体２３及び第２の支持体２３’は、時計ムーブメントを支持する腕時計の地板上に接着若しくは溶接によって直接固定してよく、又は腕時計の地板にネジ止めしてよい。
【００２６】
圧電アクチュエータ２１はほぼ矩形のストリップであってよく、静止時には湾曲した状態で配置され、これによって図２ａに示すように、ボルト２２を１組のギヤホイールの１つのホイールの２つの歯の間に径方向に押圧する。ボルト２２でロックされる歯付きホイールは例えば、その軸管上に時針を備える歯付きホイール７であってよいが、１組のギヤホイールの別のホイールであってもよい。
【００２７】
ボルト２２は丸みを帯びた端部を有する円筒形のロッドの形態であり、この端部は歯付きホイール７の２つの歯の間に格納されて上記ホイールをロックする。ホイール７の適切なロックを保証するために、この円筒形ロッドの直径を上記歯付きホイール７の２つの歯の間の平均間隔に適合させる。円筒形のボルト２２は、腕時計の地板又はフレームに固定されたヒゲ持ち２４に作製された貫通開口２５内でガイドされる。この開口２５は円筒形であり、ボルト２２の直径よりわずかに大きい直径を有し、これによってボルトはガイド開口２５内で自由に摺動できる。ボルト２２の他方の端部は圧電アクチュエータ２１の一部を圧迫し、圧迫するのは上記アクチュエータの中央部分であってよい。ボルト２２のこの他方の端部は、圧電アクチュエータの中央部分に接着若しくは溶接するか又はネジ止めしてよい。よって図２ａでは、ボルト２２は例えば静止位置において、圧電アクチュエータ２１によってホイール７の２つの歯の間に押圧される。
【００２８】
図２ｂでは、圧電アクチュエータ２１を、例えば上記アクチュエータの２つの電極（図示せず）に送達される供給電圧の形態の電気信号を用いて電気的に作動させてよい。電気的作動が圧電アクチュエータ２１に送達されると、アクチュエータは図２ａに示すロック方向と反対の方向に移動する。圧電アクチュエータ２１によってボルト２２をホイール７の解放位置に引き出すこともできる。しかしながら、ボルト２２の端部は丸みを帯びた形状であるため、圧電アクチュエータを電気的に作動させると、回転駆動させることができる歯付きホイール７の歯は上記ボルト２２を容易に押し戻すことができる。
【００２９】
ボルト２２の形状は、単なる円筒形ロッドとは異なるものであってもよいことにも留意されたい。上記ボルト２２は、対応する形状のヒゲ持ち２４の開口２５内で摺動できるように、矩形又は多角形断面を有するロッドとして考案してよい。上記ボルト２２は、ボルトがホイール７のロック位置、又は上記ホイールを自由に回転させることができるホイールの解放位置を容易に取ることができる限りにおいて、これを受承する開口２５と同様の湾曲形状を有してもよい。
【００３０】
ロック又は連結デバイスの第２の実施形態を図３ａ、３ｂに示す。この第２の実施形態は、図１、２ａ、２ｂを参照して上述したものと同一の要素を含む。ロックデバイス２０は圧電素子又はアクチュエータ２１を含み、この圧電アクチュエータ２１はその第１の端部において電気機械式腕時計のフレームの第１の支持体２３に固定されている。圧電アクチュエータ２１の第２の端部もまた、フレームの第２の支持体２３’に固定又は可動に保持してもよい。第１の支持体２３及び第２の支持体２３’は、時計ムーブメントを支持する腕時計の地板上に接着若しくは溶接によって直接固定してよく、又は腕時計の地板にネジ止めしてよい。
【００３１】
この第２の実施形態では、ロックデバイス２０はボルト２２を含み、圧電アクチュエータ２１によってこのボルト２２を、１組のギヤホイールの歯付きホイールに作製した複数の穴のうちの１つの穴１４に押し込むことができる。穴１４の数は上記ホイールの歯の数に合わせてよく、上記穴は上記ホイールと同心の円上に均等な間隔で配置される。ボルト２２は好ましくは圧電アクチュエータ２１によって軸方向に押圧され、この圧電アクチュエータ２１はほぼ矩形の、静止モードで湾曲しているストリップである。この歯付きホイールは例えば第２の歯付きホイール４であってよいが、別のホイールを用いてもよい。
【００３２】
ボルト２２は丸みを帯びた端部を有する円筒形のロッドの形態であり、この端部は軸方向の移動によって第２のホイール４の穴１４に格納され、上記ホイールをロックする。この円筒形ロッドの直径を、第２のホイール４の各穴１４の直径よりわずかに小さくなるよう適合させる。円筒形のボルト２２は、腕時計の地板又はフレームに固定されたヒゲ持ち２４に作製された貫通開口２５内でガイドされる。この開口２５は円筒形であり、ボルト２２の直径よりわずかに大きい直径を有し、これによってボルトはガイド開口２５内で自由に摺動できる。ボルト２２の他方の端部は圧電アクチュエータ２１の一部を圧迫し、圧迫するのは上記アクチュエータの中央部分であってよい。ボルト２２のこの他方の端部は、圧電アクチュエータの中央部分に接着若しくは溶接するか又はネジ止めしてよい。
【００３３】
図３ｂでは、圧電アクチュエータ２１を、例えば上記アクチュエータの２つの電極（図示せず）に送達される供給電圧の形態の電気信号を用いて電気的に作動させてよい。電気的作動が圧電アクチュエータ２１に送達されると、アクチュエータはロック方向と反対の方向に移動する。作動時と非作動時の両方の圧電アクチュエータ２１及びボルト２２の移動の方向を、図３ｂに矢印で示す。図３ｂでは圧電アクチュエータ２１及びボルト２２を、アクチュエータが電気的に作動している時の好ましい状態で示しており、その一方で非作動時のアクチュエータ２１及びボルト２２の位置を点線で示す。圧電アクチュエータ２１によってボルト２２をホイール４の解放位置に引き出すこともできる。
【００３４】
この第２の実施形態では、歯付きホイール４がロックされている時、ボルト２２は歯付きホイール４の穴１４に係合したままであることにも留意されたい。径方向の衝撃を受けた際、穴１４のうちの１つの中にあるボルト２２は、圧電アクチュエータ２１に何ら影響を与えることなくホイール４をロックする。
【００３５】
ロック又は連結デバイスの第３の実施形態を図４ａ、４ｂに示す。ロックデバイス２０は圧電アクチュエータ２１のみを含み、この圧電アクチュエータ２１はその第１の端部において電気機械式腕時計のフレームの第１の支持体２３に固定されている。圧電アクチュエータ２１の第２の端部もまた、フレームの第２の支持体２３’に固定して又は可動に保持してもよい。圧電アクチュエータ２１のみを用いて、１組のギヤホイールの１つのホイールをロックするか、又は上記ホイールを解放して電気モータの動作のもとで回転できるようにする。
【００３６】
圧電アクチュエータ２１は、好ましくは中央部分に配設された、１組のギヤホイールの歯付きホイール４のアーバ４ａの通路として幅広の隙間を残す貫通開口２６を含む。ホイールのアーバ４ａの２つの端部は、受けと腕時計の地板（図４ａ、４ｂでは図示せず）との間で自由に移動するよう設置される。圧電アクチュエータ２１の概形は、図１、２ａ、２ｂ、３ａ、３ｂに示す概ね矩形のストリップの形状と同様である。
【００３７】
図４ａでは、圧電アクチュエータ２１は湾曲した静止位置にあり、歯付きホイール４の下側または上側表面４ｂ上にある程度の力で押圧されている。しかしながら図４ｂでは、圧電アクチュエータ２１は特に供給電圧の形態の電気信号によって作動し、これによってアクチュエータ２１は歯付きホイール４の上側表面４ｂから離れるように移動させられ、それに伴ってロックを解放する。この構成では、歯付きホイール４は電気モータの作動ごとに自由に回転できる。
【００３８】
ロック又は連結デバイスの第４の実施形態を図５ａ、５ｂに示す。ロックデバイス２０はここでも圧電アクチュエータ２１のみを含み、この圧電アクチュエータ２１はその第１の端部において電気機械式腕時計のフレームの第１の支持体２３に固定されている。圧電アクチュエータ２１の第２の端部は、フレームの第２の支持体２３’に固定又は可動に保持してよい。圧電アクチュエータ２１のみを用いて、１組のギヤホイールの１つのホイールをロックするか、又は上記ホイールを解放して電気モータの各作動において回転できるようにする。
【００３９】
図５ａに示したこの第４の実施形態では、圧電アクチュエータ２１は矩形のストリップの形状であり、例えば静止位置において第５の歯付きホイール７の軸管７ａを圧迫するよう配設される。軸管を圧迫する場合、圧電アクチュエータ２１のストリップは、上記軸管７ａにロック力を印加する間湾曲しないように配設できる。しかしながら図５ｂでは、圧電アクチュエータ２１は供給電圧の形態の電気信号によって作動し、これによってアクチュエータ２１は歯付きホイール７の軸管７ａから離れるように移動させられ、それに伴ってロックを解放する。圧電アクチュエータ２１から離れる運動を、アクチュエータ２１の電気的作動による力を定義する矢印で示す。この構成では、歯付きホイール７は電気モータの作動ごとに自由に回転できる。
【００４０】
最後に、ロック又は連結デバイスの第５の実施形態を図６ａ、６ｂに示す。ロックデバイス２０はここでも圧電アクチュエータ２１のみを含み、この圧電アクチュエータ２１は楕円形チューブの形態に構成され、軸管７ａの周りに配設され、歯付きホイール７の軸管７ａをクランプ留めして、図６ａに示すように上記ホイールを静止モードにロックする。この静止モードでは、圧電アクチュエータ２１が備える２つの電極は、電線２７、２８の端子Ｖ＋、Ｖ−による電圧によって給電されない。しかしながら、電圧が端子Ｖ＋、Ｖ−によって圧電アクチュエータ２１の２つの電極へと送達される場合、上記アクチュエータ２１は図６ｂに示すような円形チューブの形態を取る。よって歯付きホイール７は解放され、電気モータの各作動において回転できる。
【００４１】
図６ａ、６ｂに示す実施形態を用いると、歯付きホイールと、ホイールをロックするために設けられたボルトとの間の同期が必要ない。上記歯付きホイールはいずれの角度位置でもロックできる。その上この解決法は、腕時計への機械的衝撃の方向に対して繊細でない。
【００４２】
上述の全ての実施形態について、ボルト２２と協働して又は協働せずにホイールロック位置を取るために、圧電アクチュエータ２１を電気的に作動させてもよいことに留意されたい。このような場合、圧電アクチュエータ２１がボルト２２と組み合わされていてもいなくても、これが静止モードにおいてもはや電気的に作動していない場合、圧電アクチュエータ２１はホイールを解放し、ホイールを電気モータの各作動において回転駆動できる。圧電アクチュエータ２１はその一方の端部においてのみ支持体２３に固定してもよく、他方の端部では自由に移動してもよい。
【００４３】
当業者は以上の説明から、１つ若しくは複数の針及び／又は日付ディスクを駆動するための、ロックデバイスを備える機構の複数の変形実施形態を、請求項に定義された本発明の範囲を逸脱することなく考案できる。圧電アクチュエータのストリップを１組のギヤホイールのホイールの歯に対して直接適用することも想定できる。電気モータの、時刻表示用針を前後に動かすための２回の作動の間に、１つ又は複数のホイールを確実にロックするために、複数の圧電アクチュエータを用いてもよい。この機構は、電気モータの２回の作動の間にロックデバイスが機構の一部をロックできるならば、３つ以上の針を駆動してもよい。
【符号の説明】
【００４４】
１    機構
２    電気モータ
３、４、５、６、７  ギヤホイール
４ａ  アーバ
７ａ  アーバ又は軸管
８、９  針
１４    穴
２０  ロックデバイス
２１  圧電アクチュエータ
２２  ボルト
２３  第１の支持体
２３’第２の支持体
２４  ヒゲ持ち
２５  貫通開口
【図１】
2014106231.tif 000003
【図２ａ】
2014106231.tif 000004
【図２ｂ】
2014106231.tif 000005
【図３ａ】
2014106231.tif 000006
【図３ｂ】
2014106231.tif 000007
【図４ａ】
2014106231.tif 000008
【図４ｂ】
2014106231.tif 000009
【図５ａ】
2014106231.tif 000010
【図５ｂ】
2014106231.tif 000011
【図６ａ】
2014106231.tif 000012
【図６ｂ】
2014106231.tif 000013